(57)【要約】      （修正有）【課題】追い焚きのできる方式の浴槽に沈澱した湯垢等を吸引、排出、除去する構造簡単、操作容易、価格安価な、サイホンの原理応用の省エネ時代に即応した、燃料、水の節約を可能にする浴槽内湯垢吸引用具を提供する。【解決手段】用具をＵ字にコンパクトに曲げ、浴槽内で用具に湯水を充填したら、給水ヘッドを水中に入れたままにして、一方の排水ノズルを浴槽外に出し、槽の水位より下の位置に引き出す。そこで栓を解くとサイホンとして作動する。この現象を利用して、始動ポンプを必要としない簡単な構造にした。また、二本の等長な把手柄は、湯水の充填と湯垢等の吸引清掃の操作を容易にした。吸水力を有効に広い面積に及ぼすめの工夫は、細い溝を刻んだスポンジをヘッド基盤に装着した。毛足の短いブラシでもよい。上記３つの工夫で課題を解決した用具である。【選択図】図１
0003144331.tif 000002
【実用新案登録請求の範囲】
【請求項１】
一定の長さの曲げやすく耐圧性に富む蛇腹パイプの一端に吸水ヘッドを繋ぎ、もう一端に排水ノズルを繋いだ、始動用電動ポンプや手揉みポンプを必要としないことを特徴とする構造の簡単なサイホンの原理応用の浴槽沈殿湯垢吸引用具。
【請求項２】
用具の操作を容易にするため、吸引ヘッド及び排水ノズルを把手柄の機能を兼ねた剛性のパイプと一体化し、それを蛇腹パイプに繋いだ浴槽沈殿湯垢吸引用具。
【請求項３】
吸水力を広い面積に有効に作用させるために、浴槽の底面と吸水へッドとの間隙を常に狭く保つように工夫された、細い溝を刻んだスポンジを張りつけたヘッドか、若しくは、毛足の短いブラシを張りつけたヘッドを装着した浴槽沈殿湯垢吸引用具。
【考案の詳細な説明】
【技術分野】
【０００１】  本考案は、浴槽底部に沈殿した湯垢や体毛を、底部の湯水と一緒に吸引し、浴槽外へ効果的に排出、除去することを目的としたサイホン原理応用の新規な構造をもつ浴槽沈殿湯垢吸引用具の提供である。
【背景技術】
【０００２】  近年、西洋式の風呂も増えてきたが、家族が入れ替わり入浴する追い焚きのできる日本式の風呂が、まだ半分以上を占めている。家族の入数が少ない家庭では、２、３日置いて余熱のある湯水を追焚きして、燃料と水を節約することも日本式風呂では多い。【０００３】  家計の経済面からも、地球温暖化へのブレ−キ面からも、日本式風呂は、優れた側面をもっていると言える。【０００４】  しかし、その際、気になるのは、沈澱している多少の目にみえる湯垢であり、除去したい衝動にかられる。それを解消するために湯垢を溶かす錠剤や湯垢をすくう網も市販されている。それぞれに長短ある方法である。【０００５】  そこで、浴槽の底部に沈澱した湯垢をよごれの濃い湯水と一緒に吸引、排出、除去する方法も考えられる。小さいバケツ一杯程度の湯水の排出で済むのであれば、すっきりする方法である。【０００６】  この方法では、だれしも、給油用ポンプに吸水ヘッドを装着させれば、その目的を果たせることを思いつくのであり、電動ポンプや手揉みポンプを付けた  サイホン応用の吸引用具が考案され、登録もされているようである。しかし、庶民のニーズのあるこの種の用具は、まだ市販されていない。考えられることは、構造がやや込み入り、使いかってが悪いからであろう。【０００７】  本考案は、電動ポンプや手揉みポンプを必要としない、簡単な構造で、使い易く、安価なサイホンの原理の吸引用具であり、試作実施の結果、優れた効果を見たものである。
以下、考案の骨子を記す。
【考案の開示】
【考案が解決しようとする課題】
【０００８】  一つは、電動ポンプや手揉みポンプを必要としない、簡単な構造で安価で提供できる物であり、二つは操作が簡単でり、１、２分の短時間で完了する物であることである。【０００９】  電動ポンプや手揉みポンプを用いないでパイプをサイホンとして作動させるには、口でパイプの中の空気を吸い出して真空にするか、パイプに湯水を充填してからパイプの一端を浴槽から出し、浴槽の水位より低い位置で充填を解く方法である。いずれも、だれしも知っている事である。本考案は、後者の現象を採用する。
【課題を解決するための手段】
【００１０】  用具を手に取り、Ｕ字形にコンパクトに曲げて寝せて湯水に入れる。用具の吸水口と排水口から同時に湯水が入る。ブクブクの音が止んだら、親指の腹で排水口を塞ぎ浴槽の外に取出し、浴槽の水位より下で親指の栓を解くと同時に湯水が排出される。連続して湯水が排出されサイホンとして作動をする。その間１０秒前後である。
あとは、吸水ヘッドの把手柄を掃除機のように操作して沈澱した湯垢等を静かに吸引していく。用具を手に取り、湯垢吸引、排出、除去完了まで１、２分の短時間である。【００１１】  また、吸引力は、吸水口と排水口の水位の差が圧力となるのだが、吸水ヘッド全体に有効に作用するよう浴槽の底面とヘッドとの間隙を３ミリ程度に狭く保つようにスポンジに細い切り込みを入れたものをヘッドに張りつけている。
【考案の効果】
【００１２】  操作が容易で、沈澱した湯垢等の吸引、排出、除去が１、２分で完了し、価格も安価である。湯垢を溶かす錠剤、掬う網と比較しても、新しいお風呂の用具として広く使われて欲しいと考える。日本人は世界一お風呂が好きである。これからは、その国のそれぞれのレベルで省エネに努めなければならない。その意味からも効果のある考案と思う。
【考案を実施するための最良の形態】
【００１３】  本考案は、原理も構造もだれしも思いつくものである。それが用具となってどのように具体的に操作されるかの理解と相まって、はじめて最良の形態が納得されるものである。
【実施例】  以下、添付の操作の具体的手順図に従って説明をする。【００１４】  図５の▲１▼
用具をＵ字形にコンパクトに曲げて寝かせて湯水に入れる。ブクブクの音が絶えるまでです。５、６秒です。
図５の▲２▼
用具が水面から出ないようにして、親指の腹で排水ノズルとなるパイプの一端に指栓をします。
図５の▲３▼
親指で栓をした状態で、排水ノズルを浴槽の外に出します。その時、吸水ノズルは水面から出ないようにします。
図５の▲４▼
親指の栓を解くと、大気圧で浴槽の湯水が排出されてきます。
図５の▲５▼
吸水ノズル把手柄を掃除機のように操作して、静かに底の湯垢等を吸引していきます。
用具を手に取って掃除完了まで１、２分です。
図５の▲６▼
排水ノズルの把手柄は、排出される湯水の重みで垂直に垂れ下ります。小さいバケツなどで排出される湯水を受けとめてもいいでしょう。
【図面の簡単な説明】
【００１５】
【図１】本考案用具の構造と大きさを示す斜視図である。
【図２】用具の伸長した斜視図である。
【図３】用具を曲げた背面斜視図である。
【図４】用具を曲げた正面斜視図である。
【図５】▲１▼〜▲６▼  用具の操作手順絵図である。
【符号の説明】
【００１６】    １  細い切り込みを入れたズポンジ
２  吸水ヘッドの基盤
３  吸水口
４  吸水ヘッドの剛性の取手柄
５  蛇腹パイプ
６  排水ノズルの剛性の取手柄
７  排水ノズル
【図１】
0003144331.tif 000003
【図２】
0003144331.tif 000004
【図３】
0003144331.tif 000005
【図４】
0003144331.tif 000006
【図５】
0003144331.tif 000007
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
一定の長さの曲げやすく耐圧性に富む蛇腹パイプの一端に吸水ヘッドを繋ぎ、もう一端に排水ノズルを繋いだ、始動用電動ポンプや手揉みポンプを必要としないことを特徴とするサイホンの原理応用の浴槽沈殿湯垢吸引用具。
【請求項２】
用具の操作を容易にするため、吸引ヘッド及び排水ノズルを把手柄の機能を兼た剛性のパイプと一体化し、それを蛇腹パイプに繋ぐことを特徴とする、請求項１記載の浴槽沈殿湯垢吸引用具。
【請求項３】
吸水力を広い面積に有効に作用させるために、浴槽の底面と吸水ヘッドとの間隙を常に狭く保つように工夫された、細い溝を刻んだスポンジを張りつけたヘッドか、若しくは、毛足の短いブラシを張りつけたヘッドを装着することを特徴とする、請求項１記載の浴槽沈殿湯垢吸引用具。